(57)【要約】      （修正有）【課題】ユーザが物体の大きさのイメージをつかむことを支援することができる投影装置を提供する。【解決手段】投影装置１０は、光源６１を有し、投影サイズが定められた画像を投影面に投影するための投影部６０と、投影面までの距離に基づいて投影部６０を制御することにより、画像を投影サイズの通りに投影面に投影する制御部７０とを備える。【選択図】図２
2019213168.tif 000002
【特許請求の範囲】
【請求項１】
光源を有し、投影サイズが定められた画像を投影面に投影するための投影部と、
前記投影面までの距離に基づいて前記投影部を制御することにより、前記画像を前記投影サイズの通りに前記投影面に投影する制御部とを備える
投影装置。
【請求項２】
前記投影部は、前記光源が発する光を前記投影面上で走査する走査部を有し、
前記制御部は、前記投影面までの距離に基づいて前記走査部を制御することにより、前記画像を前記投影サイズの通りに前記投影面に投影する
請求項１に記載の投影装置。
【請求項３】
さらに、測距用光源、及び、前記測距用光源が発した光の前記投影面における反射光を検知する検知部を有する測距センサを備え、
前記制御部は、検知された前記反射光に基づいて前記投影面までの距離を特定し、特定された前記投影面までの距離に基づいて前記投影部を制御する
請求項１または２に記載の投影装置。
【請求項４】
前記投影部は、前記光源が発した光の前記投影面における反射光を検知する検知部を有し、
前記制御部は、検知された前記反射光に基づいて前記投影面までの距離を特定し、特定された前記投影面までの距離に基づいて前記投影部を制御する
請求項１または２に記載の投影装置。
【請求項５】
前記制御部は、前記投影部を制御することにより、前記画像のサイズを示すスケール情報を前記投影面に投影する
請求項１〜４のいずれか１項に記載の投影装置。
【請求項６】
前記スケール情報は、直線状の画像である
請求項１〜５のいずれか１項に記載の投影装置。
【請求項７】
前記画像は、立体物の２種類以上の投影図を含む
請求項１〜６のいずれか１項に記載の投影装置。
【請求項８】
前記画像は、幾何学形状を含む
請求項１〜７のいずれか１項に記載の投影装置。
【請求項９】
さらに、前記画像を前記投影サイズの通りに前記投影面に投影できない場合に報知を行う報知部を備える
請求項１〜８のいずれか１項に記載の投影装置。
【請求項１０】
前記制御部は、前記投影サイズと異なるサイズの画像を前記投影面に投影する場合に、（ｉ）当該画像を点滅させる制御、及び、（ｉｉ）当該画像の色を変更する制御の少なくとも一方を行う
請求項１〜９のいずれか１項に記載の投影装置。
【発明の詳細な説明】
【技術分野】
【０００１】
本発明は、画像を投影する投影装置に関する。
【背景技術】
【０００２】
従来、スクリーンなどに画像を投影することができる投影装置が知られている。特許文献１には、バッテリ駆動したときに投影時間を長くできる投影装置が開示されている。
【先行技術文献】
【特許文献】
【０００３】
【特許文献１】特開２００９−１３３９２６号公報
【発明の概要】
【発明が解決しようとする課題】
【０００４】
ところで、インターネットのショップサイトを利用して商品の購入を検討する場合、商品の大きさのイメージがつかみづらい場合がある。
【０００５】
本発明は、ユーザが物体の大きさのイメージをつかむことを支援することができる投影装置を提供する。
【課題を解決するための手段】
【０００６】
本発明の一態様に係る投影装置は、光源を有し、投影サイズが定められた画像を投影面に投影するための投影部と、前記投影面までの距離に基づいて前記投影部を制御することにより、前記画像を前記投影サイズの通りに前記投影面に投影する制御部とを備える。
【発明の効果】
【０００７】
本発明の投影装置は、ユーザが物体の大きさのイメージをつかむことを支援することができる。
【図面の簡単な説明】
【０００８】
【図１】図１は、実施の形態に係る投影装置の外観図である。
【図２】図２は、実施の形態に係る投影装置の機能構成を示すブロック図である。
【図３】図３は、実施の形態に係る投影装置の動作例１のフローチャートである。
【図４】図４は、投影サイズの通りに画像を投影する方法を簡易的に説明するための図である。
【図５】図５は、画像の投影例を示す図である。
【図６】図６は、スケール情報の投影例を示す図である。
【図７】図７は、実施の形態に係る投影装置の動作例２のフローチャートである。
【図８】図８は、変形例に係る投影装置の機能構成を示すブロック図である。
【図９】図９は、据え置き型の投影装置の外観図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［構成］
まず、実施の形態に係る投影装置の構成について説明する。図１は、実施の形態に係る投影装置の外観図である。図２は、実施の形態に係る投影装置の機能構成を示すブロック図である。
【００１２】
実施の形態に係る投影装置１０は、投影サイズが定められた画像を投影サイズの通りに投影面１００に投影することができる装置である。投影サイズは、例えば、ユーザの指定により定められる。図１の例では、投影装置１０は、矩形の枠を投影面１００に投影する。投影面１００における矩形の枠の縦方向及び横方向の長さは、ユーザによって指定された投影サイズの通りの大きさとなる。したがって、投影装置１０は、ユーザが物体の大きさのイメージをつかむことを支援することができる。
【００１３】
投影装置１０は、例えば、携帯型の装置であり、バッテリを電源として動作する。図１及び図２に示されるように、投影装置１０は、操作受付部２０と、表示部３０と、通信部４０と、測距センサ５０と、投影部６０と、制御部７０と、記憶部８０とを備える。これらの構成要素は、投影装置１０が備える筐体内に収容される。
【００１４】
操作受付部２０は、ユーザの操作を受け付けるユーザインターフェース装置である。操作受付部２０は、例えば、ハードウェアボタンによって実現されるが、タッチパネルなどによって実現されてもよい。
【００１５】
表示部３０は、投影装置１０の動作状況などを示す画面を表示する。表示部３０は、液晶パネルまたは有機ＥＬパネルなどによって実現される。
【００１６】
通信部４０は、投影装置１０が外部装置と通信を行うための通信回路（言い換えれば、通信モジュール）である。通信部４０は、外部装置と無線通信を行うが、有線通信を行ってもよい。通信部４０が行う通信の通信規格については特に限定されない。
【００１７】
測距センサ５０は、投影装置１０から投影面１００までの距離を検知する。測距センサ５０は、例えば、ＴＯＦ（Ｔｉｍｅ  Ｏｆ  Ｆｌｉｇｈｔ）センサであるが、位相差検出方式を用いた測距センサ、または、三角測距方式を用いた測距センサなど、その他の測距センサであってもよい。測距センサ５０は、測距用光源５１、及び、検知部５２を有する。
【００１８】
測距用光源５１は、投影面１００に向けて光を発する光源である。測距用光源５１は、例えば、赤外光を発する発光素子によって実現されるが、可視光を発する発光素子によって実現されてもよい。なお、測距用光源５１は、必ずしも投影部６０が有する光源６１と別体である必要はなく、投影部６０が有する光源６１が測距用光源５１として用いられてもよい。つまり、測距センサ５０は、測距用光源５１を有しておらず、カメラ機能のみを有するセンサであってもよい。
【００１９】
検知部５２は、測距用光源５１が発した光の投影面１００における反射光を検知する受光素子である。検知部５２は、フォトダイオードアレイによって構成されるイメージセンサによって実現される。
【００２０】
投影部６０は、画像を投影面に投影するための投影モジュールである。投影部６０は、光源６１、及び、走査部６２を有する。なお、図示されないが投影部６０は、その他に、レンズ、ミラー等の光学部品などを含む。
【００２１】
光源６１は、例えば、半導体発光素子によって実現されるレーザ光源である。なお、発光色が異なる複数の発光素子（例えば、赤色発光素子、緑色発光素子、及び、青色発光素子）を含み、発光色を切り替えられる構成であってもよい。
【００２２】
走査部６２は、光源６１が発する光を投影面１００上で走査する。走査部６２は、例えば、ＭＥＭＳ（Ｍｉｃｒｏ  Ｅｌｅｃｔｒｏ  Ｍｅｃｈａｎｉｃａｌ  Ｓｙｓｔｅｍｓ）ミラーによって実現される。
【００２３】
制御部７０は、投影面に画像を投影するために投影部６０を制御する制御装置である。制御部７０は、例えば、マイクロコンピュータ、または、プロセッサによって実現される。また、制御部７０には、投影部６０を駆動するための駆動回路が含まれてもよい。
【００２４】
記憶部８０は、制御部７０によって実行される、投影部６０の制御プログラムが記憶された記憶装置である。記憶部８０は、半導体メモリなどによって実現される。
【００２５】
［動作例１］
ユーザがショッピングサイト等を利用して商品の購入を検討する場合、商品の大きさのイメージをつかみづらい場合がある。そこで、投影装置１０は、ユーザから指定された投影サイズ通りの幾何学形状を投影面１００に投影する。これにより、投影装置１０は、ユーザが商品の大きさのイメージをつかむことを支援することができる。以下、このような投影装置１０の動作例１について説明する。図３は、投影装置１０の動作例１のフローチャートである。
【００２６】
まず、操作受付部２０は、ユーザの幾何学形状及び投影サイズの指定操作を受け付ける（Ｓ１１）。操作受付部２０は、例えば、直線状、三角形、矩形、円形、楕円形、及び、その他の多角形等の選択操作を幾何学形状の指定操作として受け付ける。例えば、幾何学形状が矩形（より詳細には、矩形枠）である場合には、操作受付部２０は、縦○○ｃｍ、横△△ｃｍなどの数値の入力操作を投影サイズの指定操作として受け付ける。
【００２７】
次に、制御部７０は、測距センサ５０を用いて投影装置１０から投影面１００までの距離を特定する（Ｓ１２）。制御部７０は、制御部７０は、具体的には、測距用光源５１を発光させ、測距用光源５１が発光を開始したタイミングと、測距用光源５１からの光の投影面１００における反射光が検知部５２によって検知されたタイミングとの差分により投影装置１０から投影面１００までの距離を特定する。つまり、制御部７０は、検知部５２によって検知された反射光に基づいて投影面１００までの距離を特定する。検知部５２がイメージセンサである場合、画素ごとに投影装置１０から投影面１００までの距離が特定される。
【００２８】
次に、制御部７０は、投影面１００に凹凸があるか否かの判定を行う（Ｓ１３）。制御部７０は、具体的には、画素ごとに特定された投影装置１０から投影面１００までの距離に基づいて投影面１００の平坦度を算出する。算出した平坦度が所定値よりも小さい場合に、投影面１００に凹凸があると判定する（Ｓ１３でＹｅｓ）。制御部７０は、凹凸があると判定された場合には、投影面１００の変更をユーザに指示する画面を表示部３０に表示させる（Ｓ１４）。なお、ステップＳ１３における判定には、局所的な凹凸の有無の判定だけでなく、全体的に大きな湾曲（大きな凹または大きな凸）の有無の判定が包含される。
【００２９】
一方、制御部７０は、算出した平坦度が所定値以上である場合には、投影面１００に凹凸がないと判定する（Ｓ１３でＮｏ）。この場合、制御部７０は、投影面１００に傾斜があるか否かの判定を行う（Ｓ１５）。制御部７０は、具体的には、画素ごとに特定された投影装置１０から投影面１００までの距離に基づいて投影面１００の傾斜を算出する。算出した傾斜が所定の傾斜角度よりも大きい場合に、投影面１００に傾斜があると判定する（Ｓ１５でＹｅｓ）。制御部７０は、傾斜があると判定された場合には、投影面１００の変更をユーザに指示する画面を表示部３０に表示させる（Ｓ１４）。
【００３０】
一方、制御部７０は、算出した傾斜が所定の傾斜角度未満である場合には、投影面１００に傾斜がないと判定する（Ｓ１５でＮｏ）。この場合、制御部７０は、投影部６０を制御することにより、ステップＳ１１において指定された幾何学形状の画像を投影面１００に投影する（Ｓ１６）。例えば、制御部７０は、指定された投影サイズの通りに画像を投影面１００に投影する。図４は、投影サイズの通りに画像を投影する方法を簡易的に説明するための図である。
【００３１】
図４に示されるように、投影装置１０の位置Ｓ１（より具体的には、走査部６２の位置Ｓ１）から投影面１００上の点Ｐ１までの距離がＬ１であり、走査部６２の位置Ｓ１から投影面１００上の点Ｐ２までの距離がＬ２であり、線分Ｓ１Ｐ１と線分Ｓ１Ｐ２とのなす角度がθ１であることが測距センサ５０によって検知されているとする。この場合、投影面１００上のＰ１からＰ２までの長さｘ１は、Ｓ１、Ｐ１、Ｐ２を３つの頂点とする三角形に余弦定理を適用することにより求められる。そうすると、投影面１００上に投影面１００に沿ってｘ２の長さの線を描きたいときに走査部６２（ＭＥＭＳミラー）を傾ける角度θ２は、θ２＝θ１×ｘ２／ｘ１の式によって求められる。
【００３２】
なお、測距センサ５０は、より正確には、投影装置１０のうち測距センサ５０から投影面１００までの距離を検知する。測距センサ５０の位置と投影部６０（具体的には、走査部６２）の位置とが大きく異なるような場合には、測距センサ５０によって検知される距離は、投影部６０が投影サイズ通りの画像を投影できるように適宜補正される。
【００３３】
制御部７０は、このような方法を用いて画像を投影サイズの通りに投影面１００に投影することができる。なお、「画像を投影サイズの通りに投影面１００に投影する」とは、画像の投影面１００上におけるサイズが投影サイズと実質的に同一となることを意味する。この場合の同一は、厳密な意味の同一ではなく、数％程度の誤差を含んでもよい。
【００３４】
ところで、投影装置１０と投影面１００との位置関係などによっては、指定された投影サイズの通りの画像を表示できない場合がある。例えば、投影装置１０と投影面１００との距離が遠すぎる場合、または、投影装置１０と投影面１００との距離が近すぎる場合などである。このような場合、ステップＳ１６において、制御部７０は、投影サイズと異なるサイズで画像を投影面１００に投影する。
【００３５】
その後、制御部７０は、画像のサイズが投影サイズの通りであるか否かを判定する（Ｓ１７）。制御部７０は、画像のサイズが投影サイズの通りでないと判定された場合には（Ｓ１７でＮｏ）、その旨をユーザに報知する（Ｓ１８）。具体的には、制御部７０は、表示部３０に画像のサイズが投影サイズの通りでないことを報知するための画面を表示部３０に表示させる。画像のサイズが投影サイズの通りであると判定された場合には（Ｓ１７でＹｅｓ）、報知は行われない。
【００３６】
なお、画面の表示によって報知が行われることは必須ではなく、音声の出力によって報知が行われてもよいし、投影装置１０がパイロットランプなどを備え、パイロットランプの点灯によって報知が行われてもよい。つまり、画像を投影サイズの通りに投影面１００に投影できない場合に報知を行う報知部は、表示部３０に限定されず、スピーカ等の出音部であってもよいし、パイロットランプなどの発光部であってもよい。
【００３７】
また、表示部３０による画面の表示に代えて、または、表示部３０による画面の表示に加えて、投影される画像の態様が変更されてもよい。例えば、制御部７０は、投影サイズと異なるサイズの画像を投影面１００に投影する場合に、当該画像を点滅させる制御を行ってもよい。
【００３８】
また、制御部７０は、投影サイズと異なるサイズの画像を投影面１００に投影する場合に、画像の色を変更する制御を行ってもよい。例えば、制御部７０は、投影サイズの通りの画像を投影面１００に投影する場合には緑色の画像を投影部６０に投影させ、投影サイズと異なるサイズの画像を投影面１００に投影する場合には、赤色の画像を投影部６０に投影させる。画像の色の変更は、光源６１に含まれる発光素子のうち特定色の発光素子のみを選択的に発光させることにより実現できる。
【００３９】
以上説明したように、投影装置１０は、ユーザから指定された投影サイズ通りの幾何学形状を投影面１００に投影することができる。つまり、投影装置１０は、ユーザが商品等の物体の大きさのイメージをつかむことを支援することができる。なお、画像の投影中に投影装置１０及び投影面１００の位置関係が多少変わったとしても、測距センサ５０の検知結果に基づいて投影部６０が制御されることで、投影サイズの通りの画像の投影が継続される。
【００４０】
また、投影サイズと異なるサイズの画像が投影される場合、投影装置１０は、表示部３０に表示される画面、及び、画像の投影態様のいずれかによって報知を行う。これにより、ユーザは、投影される画像が投影サイズ通りでないことを認識することができる。なお、投影サイズ通りの画像を投影することができない場合には、画像の投影自体が行われなくてもよい。言い換えれば、画像の投影が停止されてもよい。この場合も、表示部３０には、投影サイズ通りの画像を投影することができないことを報知する画面が表示されるとよい。
【００４１】
［画像の投影例］
上述のように、投影面１００に投影される画像については特に限定されない。例えば、投影面に投影される画像には、立体物（例えば、直方体）の上面図、正面図、及び、側面図が含まれてもよい。図５は、このような画像の投影例を示す図である。
【００４２】
図５の投影例では、立体物の上面図９１、正面図９２、及び、側面図９３が同時に並行して投影されている。これにより、投影装置１０は、ユーザが立体物の３次元的な大きさのイメージをつかむことを支援することができる。なお、投影される画像に立体物の３種類の投影図が含まれることは必須ではなく、投影される画像には、投影方向が異なる２種類以上の投影図が含まれればよい。
【００４３】
また、制御部７０は、画像とともに、画像のサイズを示すスケール情報を投影面１００に投影してもよい。図６は、このようなスケール情報の投影例を示す図である。
【００４４】
図６の投影例では、画像９０に加えて、画像のサイズを示すスケール情報９４が投影されている。スケール情報９４は、例えば、直線状の画像（具体的には、矢線状の画像）であるが、他の形状であってもよい。また、スケール情報９４は、文字情報を含んでいるが、スケール情報９４が文字情報を含むことは必須ではない。スケール情報９４は、単なる線または枠であってもよい。また、スケール情報９４は、文字情報に代えて、または、文字情報に加えて目盛りなどを含んでもよい。スケール情報９４は、文字情報のみによって構成されてもよい。
【００４５】
投影装置１０は、このようなスケール情報を投影することにより、ユーザが商品などの物体の大きさのイメージをつかむことを支援することができる。
【００４６】
［動作例２］
動作例１では、投影装置１０は、ユーザの操作によって指定された幾何学形状の画像が投影面１００に投影されたが、投影される画像の画像情報（どのような画像を投影するかを示す情報）は、通信部４０によって外部装置から取得されてもよい。図７は、このような投影装置１０の動作例２のフローチャートである。
【００４７】
まず、操作受付部２０は、画像情報の取得を指示するユーザの操作を受け付ける（Ｓ２１）。通信部４０は、操作受付部２０によって受け付けられた操作に応じて、画像情報の要求を外部装置に送信し、結果として外部装置から画像情報を取得する（Ｓ２２）。
【００４８】
以降の動作は動作例１と同様であり、ステップＳ１６においては、画像情報に基づいて画像が投影面に投影される。画像情報は、例えば、幾何学形状の種類と、その投影サイズとを示す情報である。
【００４９】
なお、通信部４０が通信を行う外部装置がショッピングサイトで販売される商品の情報を管理する装置（例えば、サーバ装置）等である場合、画像情報は、商品写真の情報と、その投影サイズを示す情報であってもよい。この場合、制御部７０は、投影部６０を制御することにより、商品写真を投影サイズ通りに（つまり、原寸大で）投影面１００に投影することができる。
【００５０】
［構成の変形例］
投影装置１０においては、測距センサ５０及び投影部６０は別のデバイスであったが、測距センサ５０及び投影部６０は単一のデバイスとして実現されてもよい。図８は、このような変形例に係る投影装置の機能構成を示すブロック図である。
【００５１】
図８に示されるように、変形例に係る投影装置１０ａは、操作受付部２０と、表示部３０と、通信部４０と、投影部６０ａと、制御部７０と、記憶部８０とを備える。投影装置１０ａは、測距センサ５０を備えていない点、及び、投影部６０ａが検知部６３を備えている点が投影装置１０と異なる。
【００５２】
検知部６３は、光源６１が発した光の投影面１００における反射光を検知する受光素子である。検知部５２は、例えば、フォトダイオードの光電変換素子によって実現される。
【００５３】
投影装置１０ａにおいて、制御部７０は、例えば、検知部６３によって検知された反射光に基づく三角測量法によって投影面１００までの距離を特定する。光源６１が発する光が走査部６２によって操作され、投影装置１０ａから投影面１００における少なくとも２点（あるいは、少なくとも３点）のそれぞれまでの距離が特定できれば、上記図４で説明した方法により、投影サイズの通りに画像を投影することができる。
【００５４】
このように投影装置１０ａにおいては、投影部６０ａが画像の投影だけでなく距離の検知にも使用される。投影装置１０ａでは、投影部６０とは別に測距センサ５０が用いられる投影装置１０に比べて構成が簡略化できる。
【００５５】
また、投影装置１０は、携帯型の装置であったが、据え置き型の装置として実現されてもよい。図９は、据え置き型の投影装置１０ｂの外観図である。
【００５６】
［効果等］
以上説明したように、投影装置１０は、光源６１を有し、投影サイズが定められた画像を投影面１００に投影するための投影部６０と、投影面１００までの距離に基づいて投影部６０を制御することにより、画像を投影サイズの通りに投影面１００に投影する制御部７０とを備える。
【００５７】
これにより、投影サイズがユーザによって指定されれば、投影装置１０は、ユーザの指定通りの大きさの画像を投影することができる。つまり、投影装置１０は、ユーザが商品などの物体の大きさのイメージをつかむことを支援することができる。
【００５８】
また、例えば、投影部６０は、光源６１が発する光を投影面１００上で走査する走査部６２を有する。制御部７０は、投影面１００までの距離に基づいて走査部６２を制御することにより、画像を投影サイズの通りに投影面１００に投影する。
【００５９】
このような投影装置１０は、走査部６２による走査によって画像を投影面１００に投影することができる。
【００６０】
また、投影装置１０は、例えば、さらに、測距用光源５１、及び、測距用光源５１が発した光の投影面における反射光を検知する検知部５２を有する測距センサ５０を備える。制御部７０は、検知された反射光に基づいて投影面１００までの距離を特定し、特定された投影面１００までの距離に基づいて投影部６０を制御する。
【００６１】
このような投影装置１０は、測距センサ５０の検知結果に基づいて投影面１００までの距離を特定することができる。
【００６２】
また、投影装置１０ａにおいて、投影部６０ａは、光源６１が発した光の投影面における反射光を検知する検知部６３を有する。制御部７０は、検知された反射光に基づいて投影面１００までの距離を特定し、特定された投影面１００までの距離に基づいて投影部６０を制御する。
【００６３】
このような投影装置１０ａは、投影部６０が有する検知部６３の検知結果に基づいて投影面１００までの距離を特定することができる。投影装置１０ａにおいては、投影部６０ａが画像の投影だけでなく距離の検知にも使用されるため、構成の簡略化が容易である。また、コストダウン等も実現しやすい。
【００６４】
また、図６に示されるように、制御部７０は、投影部６０を制御することにより、画像９０のサイズを示すスケール情報９４を投影面１００に投影する。
【００６５】
このようなスケール情報９４によれば、ユーザは画像９０のサイズを理解しやすくなる。
【００６６】
また、図６に示されるように、スケール情報９４は、直線状の画像である。
【００６７】
このようなスケール情報９４によれば、ユーザは画像９０のサイズを理解しやすくなる。
【００６８】
また、図５に示されるように、画像は、立体物の２種類以上の投影図を含む。
【００６９】
このような投影装置１０は、ユーザが立体物の３次元的な大きさのイメージをつかむことを支援することができる。
【００７０】
また、例えば、画像は、幾何学形状を含む。
【００７１】
これにより、投影サイズがユーザによって指定されれば、投影装置１０は、ユーザの指定通りの大きさの幾何学形状を投影することができる。ユーザは、幾何学形状を視認することにより、商品などの物体の大きさを直感的に理解することができる。
【００７２】
また、例えば、投影装置１０は、さらに、画像を投影サイズの通りに投影面１００に投影できない場合に報知を行う報知部を備える。上記実施の形態では、表示部３０が報知部の一例であるが、報知部は、スピーカ等の出音部であってもよいし、パイロットランプなどの発光部であってもよい。
【００７３】
このような投影装置１０は、画像を投影サイズの通りに投影面１００に投影できないことをユーザに報知することができる。
【００７４】
また、例えば、制御部７０は、投影サイズと異なるサイズの画像を投影面１００に投影する場合に、（ｉ）当該画像を点滅させる制御、及び、（ｉｉ）当該画像の色を変更する制御の少なくとも一方を行う。
【００７５】
このような投影装置１０は、画像が投影サイズの通りでないことを画像の態様を変更することでユーザに報知することができる。
【００７６】
（その他の実施の形態）
以上、実施の形態について説明したが、本発明は、上記実施の形態に限定されるものではない。
【００７７】
例えば、上記実施の形態では、レーザ走査方式の投影装置について説明されたが、本発明は、他の方式の投影装置として実現されてもよい。投影装置は、画像を投影サイズの通りの大きさで投影面に投影できればよい。
【００７８】
また、上記実施の形態のフローチャートで説明された処理の順序は、一例である。複数の処理の順序は変更されてもよいし、複数の処理は並行して実行されてもよい。また、上記実施の形態において、特定の処理部が実行する処理を別の処理部が実行してもよい。
【００７９】
また、上記実施の形態における装置間の通信方法については特に限定されるものではない。装置間では、無線通信が行われてもよいし、有線通信が行われてもよい。また、装置間では、無線通信及び有線通信が組み合わされてもよい。また、上記実施の形態において２つの装置が通信を行う場合、２つの装置間には図示されない中継装置が介在してもよい。
【００８０】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８１】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００８２】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【００８３】
例えば、本発明は、投影装置の制御方法として実現されてもよいし、このような制御方法をコンピュータに実行させるためのプログラムとして実現されてもよい。また、本発明は、このようなプログラムが記録されたコンピュータ読み取り可能な非一時的な記録媒体として実現されてもよい。
【００８４】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００８５】
１０、１０ａ、１０ｂ  投影装置
３０  表示部（報知部）
５０  測距センサ
５１  測距用光源
５２、６３  検知部
６０、６０ａ  投影部
６１  光源
６２  走査部
７０  制御部
９０  画像
９４  スケール情報
１００  投影面
【図１】
2019213168.tif 000003
【図２】
2019213168.tif 000004
【図３】
2019213168.tif 000005
【図４】
2019213168.tif 000006
【図５】
2019213168.tif 000007
【図６】
2019213168.tif 000008
【図７】
2019213168.tif 000009
【図８】
2019213168.tif 000010
【図９】
2019213168.tif 000011